(57)【要約】（ｉ）縦軸（Ａ−Ａ）を規定する支持体（１２）と、（ｉｉ）当該支持体の第１の軸端又はその近くに配置された台座（１４）と、（ｉｉｉ）使用中に、加圧流体を受け取る入口（２０）と、(ｉｖ)使用中に、人工肛門形成又は回腸瘻形成バッグ上の対応する接続リングに接続可能なフランジ付きリング（１８）と、（ｖ）導管の一端で当該入口と流体連通し、当該リングまで延在し、当該リング内の当該導管からの出口を規定する導管（２４）と、及び（ｖｉ）当該リングと当該導管との間の封止（２６）と、を含む人工肛門形成又は回腸瘻形成バッグ洗浄システムである。【選択図】  図２
2019506277.tif 000002
【特許請求の範囲】
【請求項１】
人工肛門形成又は回腸瘻形成バッグ洗浄システムであって、
縦軸を規定する支持体と、
当該支持体の第１の軸端又はその近くに配置された台座と、
使用中に、加圧流体を受け取る入口と、
使用中に、人工肛門形成又は回腸瘻形成バッグ上の対応する接続リングに接続可能なフランジ付きリングと、
導管の一端で当該入口と流体連通し、当該リングまで延在し、当該リング内の当該導管からの出口を規定する導管と、
当該リングと当該導管との間の封止とを有するシステム。
【請求項２】
当該スタンドが、当該リングを当該台座から５０ｃｍ〜８０ｃｍ離す、請求項１に記載のシステム。
【請求項３】
当該スタンドが、当該リングを当該台座から５０ｃｍ〜６０ｃｍ離す、請求項１に記載のシステム。
【請求項４】
当該台座が、使用中、水平で平坦な床上に支持されたとき、当該支持体の当該縦軸が、垂直から２０度以内反れる、請求項３に記載のシステム。
【請求項５】
当該台座が、使用中、水平で平坦な床上に支持されたとき、当該支持体の当該縦軸が、垂直から１０度以内反れる、請求項３に記載のシステム。
【請求項６】
コネクタが、フレキシブルホースを当該入口に接続するために当該入口と関連付けられた、請求項５に記載のシステム。
【請求項７】
横アーム（a transverse arm）が、当該支持体の第２の軸端又はその近くで当該支持体から延在する、請求項６に記載のシステム。
【請求項８】
当該横アームが、７０度〜１１０度の角度で当該支持体から延在する、請求項７に記載のシステム。
【請求項９】
当該横アームが、長さ７ｃｍ〜１８ｃｍである、請求項８に記載のシステム。
【請求項１０】
当該横アームが、長さ７ｃｍ〜１４ｃｍである、請求項８に記載のシステム。
【請求項１１】
当該フランジ付きリングが、当該横アームの自由端又はその近くで当該横アームに接続された、請求項１０に記載のシステム。
【請求項１２】
当該導管が、当該横アームに沿って延在する、請求項１１に記載のシステム。
【請求項１３】
当該横アームが、当該導管である、請求項１２に記載のシステム。
【請求項１４】
前記導管に沿った流体の流れを調整するためのバルブを更に有する、請求項１３に記載のシステム。
【請求項１５】
石鹸又は洗剤を蓄えるための第１のリザーバを更に有し、当該リザーバが、当該導管と流体連通する、請求項１４に記載のシステム。
【請求項１６】
当該第１のリザーバの内容物が、使用中、ベンチャー効果（the venture effect）によって当該導管内に放出される、請求項１５に記載のシステム。
【請求項１７】
当該入口から出る流体によって充填され当該導管内に流体を放出する第２のリザーバを更に有する、請求項１６に記載のシステム。
【請求項１８】
当該第２のリザーバが、使用中、当該導管に加圧流体を提供するために当該導管より高く上昇される、請求項１７に記載のシステム。
【請求項１９】
当該リングの直径が、４５ｍｍ〜６０ｍｍである、請求項１８に記載のシステム。
【請求項２０】
当該支持体が、直円柱あるいは直円筒である、請求項１９に記載のシステム。
【発明の詳細な説明】
【技術分野】
【０００１】
本発明は、人工肛門形成又は回腸瘻形成バッグ洗浄システム（a colostomy or ileostomy bag cleaning system）に関する。より具体的には、本発明は、開けた便器の上方にバッグを支持するためのスタンド（a stand for supporting the bag over an open toilet bowl）を有する人工肛門形成又は回腸瘻形成バッグ洗浄システムに関する。
【背景技術】
【０００２】
結腸瘻バッグ洗浄システムが知られている。例えば、特許文献１は、結腸瘻バッグがユーザに接続されている間にその結腸瘻バッグから消化排泄物を掃除あるいは洗浄するためのシステムを記載している。
【０００３】
しかしながら、ユーザは、典型的には、洗面器でバッグに水を満たしそのバッグの内容物をトイレに全部あけることによって結腸瘻バッグを掃除あるいは洗浄する。この方法は、面倒で全く衛生的ではない。
【０００４】
本発明の目的は、人工肛門形成又は回腸瘻形成バッグを、そのバッグを便器の上に懸架したまま洗浄するための単純かつ衛生的なシステムを提供することである。
【先行技術文献】
【特許文献】
【０００５】
【特許文献１】Ｓｃｈｅｎａらに譲渡された米国特許第７，８４２，０１８号明細書
【発明の概要】
【課題を解決するための手段】
【０００６】
本発明の好ましい実施形態によれば、人工肛門形成又は回腸瘻形成バッグ洗浄システムは、
縦軸を規定する支持体と、
当該支持体の第１の軸端又はその近くに配置された台座と、
使用中に、加圧流体を受け取る入口と、
使用中に、人工肛門形成又は回腸瘻形成バッグ上の対応する接続リングに接続可能なフランジ付きリングと、
導管の一端で当該入口と流体連通し、当該リングまで延在して、当該リング内で導管からの出口を規定する導管と、
当該リングと当該導管との間の封止とを有する。
【０００７】
典型的には、当該スタンドは、当該リングを当該台座から５０ｃｍ〜８０ｃｍ、好ましくは５０ｃｍ〜６０ｃｍ離す。
【０００８】
一般に、使用中、当該台座が水平で平坦な床上に支持されたとき、当該支持体の縦軸は、垂直から２０度以内、好ましくは１０度以内反れる。
【０００９】
当該システムは、更に、フレキシブルホースを当該入口に接続するために当該入口と関連付けられたコネクタを有しうる。
【００１０】
横アーム（a transverse arm）が、当該支持体の第２の軸端又はその近くで当該支持体から延在することが好ましい。
【００１１】
典型的には、当該横アームは、７０度〜１１０度の角度で当該支持体から延在する。
【００１２】
一般に、当該横アームは、長さ７ｃｍ〜１８ｃｍ、好ましくは長さ７ｃｍ〜１４ｃｍである。
【００１３】
典型的には、フランジ付き当該リングは、当該横アームの自由端又はその近くで当該横アームに接続される。
【００１４】
一般に、当該導管は、当該横アームに沿って延在する。当該横アームは、当該導管であることが好ましい。
【００１５】
当該システムは、更に、当該導管に沿った流体の流れを調整するためのバルブを有しうる。
【００１６】
必要に応じて、当該システムは、また、石鹸又は洗剤を蓄えるための第１のリザーバを有し、そのリザーバは、当該導管と流体連通する。当該第１のリザーバの内容物は、使用中、ベンチャー効果（the venture effect）によって当該導管内に放出されることが好ましい。
【００１７】
当該システムは、また、当該入口から出る流体によって満たされ、かつ流体を当該導管に放出する第２のリザーバを有しうる。当該第２のリザーバは、使用中、加圧流体を当該導管に提供するために当該導管より高く上昇されることが好ましい。
【００１８】
典型的には、当該リングの直径は、４５ｍｍ〜６０ｍｍである。
【００１９】
一般に、当該支持体は、直円柱あるいは直円筒である。
【００２０】
次に、本発明は、単なる例として、添付図面を参照してより詳細に述べられる。
【図面の簡単な説明】
【００２１】
【図１】本発明の好ましい実施形態による人工肛門形成又は回腸瘻形成バッグ洗浄システムの上側斜視図である。
【図２】使用中の図１のシステムの上側斜視図である。
【発明を実施するための形態】
【００２２】
図１と図２を参照すると、人工肛門形成又は回腸瘻形成バッグ洗浄システム１０は、支持体１２と台座１４を有する。
【００２３】
支持体１２は、直円柱あるいは直円筒であり、縦軸Ａ−Ａを規定する。支持体１２の長さは、便座の標準高さより上方に延在するように、５０ｃｍ〜８０ｃｍ、好ましくは５０ｃｍ〜６０ｃｍである。
【００２４】
台座１４は、支持体１２の第１の軸端から延在する３本の脚を有する。脚１４が、水平で平坦な床上に立つとき、支持体１２の縦軸は、実質的に垂直であり、即ち、垂直に対して２０度以下、好ましくは１０度以下傾く。
【００２５】
台座１４が、床上に人工肛門形成又は回腸瘻形成バッグ洗浄システム１０を支持する１組の脚として記述されるが、台座が、代替として、壁に取り付け可能な取り付け機構を備えうることを理解されよう。取り付け機構は、スイベル取り付け機構でよい。更に、取り付け機構は、システム１０の壁空洞部に対する収縮／拡張を容易にできる。
【００２６】
横アーム１６は、支持体１２の第２の軸端から７０度〜１１０度の角度で延在する。横アーム１６は、支持体１２に対して直角であり、長さ７ｃｍ〜１８ｃｍ、好ましくは７ｃｍ〜１４ｃｍであることが好ましい。
【００２７】
フランジ付きリング１８（典型的には、直径４５ｍｍ〜６０ｍｍ）が、横アーム１６の自由端に固定され、人工肛門形成又は回腸瘻形成バッグ（ｃｏｌｏｐｌａｓｔ（商標）結腸瘻バッグなど）上の対応する接続リングに接続可能なようにサイズと形成が決められる。
【００２８】
システム１０は、また、入口２０をフレキシブルホース２２に接続するためのコネクタ付き入口２０を有し、フレキシブルホース２２は、加圧流体源（例えば、給水栓）に接続される。使用中、入口２０は、フレキシブルホース２２からの加圧流体を受け取る。
【００２９】
システム１０は、フレキシブルホースを介して給水栓から加圧水が供給されるように記述され図示されるが、代替として、ポンプ（例えば、１２Ｖ圧力ブースタポンプ）又は加圧空気キャニスタによって提供される加圧水又はガスが入口に供給されうることを理解されよう。そのような構成では、システム１０は、携帯型自給システムとして販売されうる。
【００３０】
導管２４は、導管２４の一端で入口２０と流体連通し、フランジ付きリング１８まで延在して、フランジ付きリング１８内で導管２４からの出口を規定する。図は、パイプの形の導管２４を示し、導管２４は横アーム１６も有する。しかしながら、導管２４は、代替として、横アーム１６に沿って延在できることを理解されよう。
【００３１】
封止２６が、フランジ付きリング１８と導管２４の間の封止を作成する。
【００３２】
導管２４内の流体の流れを調整するために導管２４に沿ってバルブ２８が配置される。
【００３３】
システム１０は、更に、石鹸又は洗剤を蓄えるための第１のリザーバ３０を有し、この第１のリザーバは、導管２４と流体連通する。第１のリザーバ３０と導管２４との接合は、流体が導管２４に沿って送られるときに、石鹸又は洗剤がベンチャー効果によって第１のリザーバ３０から導管２４内に吸い込まれるように設計される。
【００３４】
第２のリザーバ３２は、また、バルブ２８の上流で導管２４と流体連通する。第２のリザーバ３２には、使用中、入口２０から出る流体が充填される。第２のリザーバ３２には、第２のリザーバ３２の機能的上側端又はその近くにある第２のリザーバ入口からの流体が充填され、第２のリザーバ３２に蓄えられる流体は、第２のリザーバ入口の高さまで上昇されえない。使用中、第２のリザーバ３２は、また、加圧流体を導管２４内に供給するために導管２４より高く上昇される。
【００３５】
具体的には図２に移ると、使用中、システム１０は、トイレ３４の隣りに、横アーム１６が便座３６を越えて便器３８の上で終端するように、位置決めされる。人工肛門形成又は回腸瘻形成バッグ４０が、フランジ付きリング１８に固定され、フレキシブルホース２２が給水栓に接続される。第２のリザーバ３２には、給水栓からの水が充填され、バルブ２８が開かれて、加圧流体を、導管２４に沿って第２のリザーバ３２から第１のリザーバ３０を過ぎて（ある程度の石鹸又は洗剤が引き出される）導管２４の出口の方に送ることを可能にする。導管２４の出口がフランジ付きリング１８内にあるので、流体がバッグ４０に入り、バッグ４０から消化排泄物が便器３８内に洗い出される。フランジ付きリング１８と導管２４との間の領域が封止されているので、導管２４から出る全ての流体が、漏れなしにバッグ４０に流れ込む。バッグ４０が清浄になったとき、バルブ２８が閉じられ、代替として、フレキシブルホース２２が取り付けられた給水栓が閉じられ、バッグ４０が、フランジ付きリング１８から切り離される。
【００３６】
システム１０が第１と第２のリザーバ３０及び３２を省きうることを理解されよう。そのような実施形態では、導管２４は、入口２０とフランジ付きリング１８の間に直接延在でき、流体圧力は、使用中にフレキシブルホース２２が接続された給水主管によって直接提供される。
【符号の説明】
【００３７】
１０  人工肛門形成又は回腸瘻形成バッグ洗浄システム
１２  支持体
１４  台座
１６  横アーム
１８  フランジ付きリング
２０  入口
２２  フレキシブルホース
２４  導管
２６  封止
２８  バルブ
３０，３２  リザーバ
【図１】
2019506277.tif 000003
【図２】
2019506277.tif 000004
【国際調査報告】
2019506277.tif 000005
2019506277.tif 000006